(57)【要約】【課題】ＩＥＥＥ１３９４ネットワークに接続されている機器の選択操作を容易に行うテレビジョン装置を提供する。【解決手段】ＩＥＥＥ１３９４通信ネットワークに接続されている動作状態にある機器を最初に選択し、動作状態が同じものが複数ある場合には、テレビジョン装置１から近い順に高い優先順位を付ける。動作状態にある機器に優先順位を付け終わったら、次に、電源ＯＮ状態で停止状態にある機器にテレビジョン装置１から近い順に優先順位を付ける。最後に、電源ＯＦＦ状態にある機器に対してテレビジョン装置１から近い順に優先順位を付ける（取り外しの可能性が高いため、優先順位を最低にしている）。このように設定した優先順位に基づいて、機器選択メニュー操作画面を生成し、表示する。【選択図】図１
2008022427.tif 000002
【特許請求の範囲】
【請求項１】
ＩＥＥＥ１３９４のネットワークに接続し、該ネットワークに接続する複数の映像情報装置間でデータの送受信を行うテレビジョン装置であって、
前記ネットワークに接続している全ての前記映像情報装置から該映像情報装置の動作状態を示す情報及びノード情報を一定の時間間隔で取得する取得手段と、
受信した前記映像情報装置の動作状態を示す情報及びノード情報から前記映像情報装置の選択優先順位を決定する動作状態情報取得手段と、を備え、
前記動作状態情報取得手段は、前記動作状態を示す情報に基づいて前記選択優先順位を定めた後、さらに複数の同一の動作状態の前記映像情報装置があった場合、前記ノード情報に基づいて最終的な選択優先順位を決定することを特徴とするテレビジョン装置。
【請求項２】
前記動作状態情報取得手段は、前記動作状態を示す情報及びノード情報の状態変化を常時監視し、変化があった場合には再度、前記映像情報装置の選択優先順位を決定し、常時更新することを特徴とする請求項１に記載のテレビジョン装置。
【請求項３】
決定された前記選択優先順位の高い順に前記映像情報装置を示す表示枠を表示する機器選択メニュー操作画面生成手段を備え、
前記機器選択メニュー操作画面生成手段は、前記選択優先順位に従って常時、前記表示枠の表示内容を更新するとともに、前記表示枠をカーソルの移動により選択するようにしたことを特徴とする請求項１又は請求項２に記載のテレビジョン装置。
【発明の詳細な説明】
【技術分野】
【０００１】
本発明は、ＩＥＥＥ１３９４に接続する複数のＩＥＥＥ１３９４搭載機器の内、通信すべき相手機器を選択する場合に選択操作を簡略化するテレビジョン装置に関する。
【背景技術】
【０００２】
シリアルバスインターフェース（Ｓｅｒｉａｌ  Ｂｕｓ  Ｉｎｔｅｒｆａｃｅ）規格に関する従来のＩＥＥＥ１３９４の技術は、当初はアップル社とテキサスインストルメンツ社とによって共同で提唱され、“ファイヤー  ワイヤ（Ｆｉｒｅ  Ｗｉｒｅ）”というコードネームで開発されてきた。１９８６年から研究されてきたＩＥＥＥ１３９４は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）標準委員会で１９９５年１２月に公式に協約され、標準化されるようになった。
【０００３】
なお、ｉ．ＬＩＮＫ（アイリンク）は、ソニー社が自社のデジタルビデオカメラ製品などに搭載したＩＥＥＥ１３９４端子を呼称した登録商標であり、ＤＶ端子等と共に家電製品で使用される名称として一般に普及している。
【０００４】
このＩＥＥＥ１３９４は、ＵＳＢ（Ｕｎｉｖｅｒｓａｌ  Ｓｅｒｉａｌ  Ｂｕｓ）とは異なり、バス上にホスト機器を必要とせず、デイジーチェーンやツリー構造のネットワーク又はこれらの組み合わせた構造のネットワークを構成することができ、機器から機器へと接続するだけでデータ転送することが可能である。
【０００５】
そのため、ＩＥＥＥ１３９４搭載機器は、ポートを２つ備えている場合が多く、その１つのポートをリピータとして用いている。
【０００６】
そして、ＩＥＥＥ１３９４は、同時に６４台の機器を同一のネットワーク上に接続することができ、少なくとも１００Ｍｂｐｓ以上の高速の通信を行うことができるなど、マルチメディア対応のデジタル通信方式として近年非常に注目されている。
【０００７】
ここで、上記ＩＥＥＥ１３９４ネットワークの構成及びＩＥＥＥ１３９４の通信システムの動作について図４，５を用いて簡単に説明し、合わせて管理機器（テレビジョン装置４０）の動作及びデータ通信を行うべき相手のＩＥＥＥ１３９４搭載機器を選択する従来の方法について説明する。
【０００８】
まず、デイジーチェーン方式のＩＥＥＥ１３９４ネットワークの構成について説明する。
【０００９】
図４は、テレビジョン装置と他のＩＥＥＥ１３９４搭載機器（以下、１３９４機器と略称する）とをデイジーチェーンで接続したＩＥＥＥ１３９４ネットワーク構成例を示す図である。
【００１０】
また、図５（ａ）は、テレビジョン装置を始点とする２系統のデイジーチェーン方式のＩＥＥＥ１３９４ネットワークをツリー状の構成とした場合の構成図であり、（ｂ）は、このＩＥＥＥ１３９４に接続された１３９４機器の選択を行う際に使用する操作画面の一例を示す図である。
【００１１】
図４に示すように、テレビジョン装置４０のＩＥＥＥ１３９４に係る通信部分は、内部バス（図示していない）とのデータの送受を行う１３９４インターフェース部２と、１３９４機器４１と通信ケーブルで接続される通信ポート３を備えて構成されている。
【００１２】
デイジーチェーンで接続されている１３９４機器４１〜４４の通信部分は、テレビジョン装置４０と同様な構成を有している。
【００１３】
また、デイジーチェーンの通信ネットワークを構成するために、２つの通信ポート３ａと３ｂを備えている。
【００１４】
図５（ａ）に示すように、２系統のＩＥＥＥ１３９４通信回線のうち、一方の通信ラインには、機器番号（１ａ）〜（１ｃ）を有する１３９４機器５０〜５３が接続しており、他方の通信ラインには、機器番号（２ａ〜２ｃ）を有する１３９４機器５３〜５５が接続している。
【００１５】
なお、図５（ａ）では、図４に示す通信ポート３、３ａ、３ｂについては、図の簡略化を図るために記載を省略し、その接続関係のみを記載している。
【００１６】
次に、上記に示すような構成を備えるＩＥＥＥ１３９４の通信システムの基本的な動作について説明する。
【００１７】
上記ＩＥＥＥ１３９４の通信システムでは、システムの立ち上がり時において、ケーブル挿抜等による接続構成の変化を検知した後、接続構成の初期化と再認識を自動的に実行し、通信システムを構成する１３９４機器（図４では、テレビジョン装置４０、１３９４機器（４１〜４４）であり、各機器を「ノード」と称する）の物理アドレスである機器番号の設定を行う。
【００１８】
上記接続構成の初期化、再構成及び機器番号の設定を行うにあたって、まず、各ノード間の親子関係を決定し、通信システムの階層構造の認識を自動的に行う。
【００１９】
そして、全てのノードの親となるノードがただ一つ決定される（図４，５では、テレビジョン装置４０であり、このノードを「ルート」と称する）。
【００２０】
ルート（テレビジョン装置４０）の決定後、通信システムは、各ノードに対する機器番号の付与を自動的に行う。機器番号の設定は、ただ一つのノードと接続されたノード（図５では、１３９４機器５２又は５５である）から順に実行され、ルートであるテレビジョン装置１が最後に実行される。
【００２１】
上記に示した処理は、通信システムの接続構成の変化を検知する毎に、あるいは、１３９４機器自らその処理を行いたい場合に実行される。
【００２２】
このように、通信システムが確立した後は、テレビジョン装置４０は、通信の調停を行いながら、自ら例えば、１３９４機器４２を選択し、この機器に対して、電源のＯＮ／ＯＦＦ、再生、録画、停止等の制御コマンドの送信や、実際のデータ転送の実行を行うことが可能となる。
【００２３】
次に、テレビジョン装置４０が１３９４機器を選択する場合について説明する。
【００２４】
図５（ｂ）に示すように、従来、ユーザは、テレビジョン装置４０のリモコンを操作して、機器選択メニュー操作画面５６を表示させて、選択順位表示枠５７ａ〜５７ｆに対応する機器番号等が表示されている機器選択表示枠５８ａ〜５８ｆの表示内容（例えば、機器の種別、機器の動作状態等）を確認しながらカーソルキーを移動し（カーソル位置の選択順位表示枠が太線枠に表示される）、決定キーを押下することで所望する機器を選択するようにしている。
【００２５】
ここで、機器選択メニュー操作画面５６の機器選択表示枠５８ａ〜５８ｆに記載している１３９４機器は、図５（ａ）に示す通信ネットワークを構成する全ての１３９４機器を選択できるようになっているが、テレビジョン装置４０に距離的に近い順や登録した順に並べており、機器やケーブル等の挿抜がない限りその順番が変わることはない。
【００２６】
また、選択順位１の表示枠５７ａに対応する機器選択表示枠５８ａに表示する機器を最後に使用した機器とし、優先的に選択するようにしている。
【００２７】
さらに、特許文献１に開示する技術では、機器に対して優先順位を設けて機器の選択を行うことが開示されているが、この技術に記載されている優先順位は、管理ノードの優先順位を決定するものであって、優先順位決定後は、その順番が一定で変わることはない。
【特許文献１】特開２０００−３４９７９４号公報
【発明の開示】
【発明が解決しようとする課題】
【００２８】
ところが、図４，５に示すように通信ネットワークに接続されている１３９４機器の台数がそれほど多くない場合には特に問題はないが、スタジオ編集所、放送局等のように多数の機器を扱うような場合には、従来による選択方法では、ユーザは、機器選択表示枠から１つ１つ確認しながら選択することになり、選択する上で操作が煩雑となる問題点があり、最後に使用した機器を最優先順位にするという方法では、必ずしも、次回も同じ機器として使用するとは限らない。
【００２９】
また、機器の選択時間に時間がかかるという点からも迅速性も失われるという問題点がある。
【００３０】
そこで、本発明は、上記従来の問題点に鑑みてなされたものであって、ＩＥＥＥ１３９４ネットワークに接続されている機器の選択操作を容易に行うテレビジョン装置を提供しようとするものである。
【課題を解決するための手段】
【００３１】
上記課題を解決するために、本発明に係るテレビジョン装置は、以下の特徴を備えている。
【００３２】
本発明に係るテレビジョン装置は、ＩＥＥＥ１３９４のネットワークに接続し、該ネットワークに接続する複数の映像情報装置間でデータの送受信を行うテレビジョン装置であって、
前記ネットワークに接続している全ての前記映像情報装置から該映像情報装置の動作状態を示す情報及びノード情報を一定の時間間隔で取得する取得手段と、受信した前記映像情報装置の動作状態を示す情報及びノード情報から前記映像情報装置の選択優先順位を決定する動作状態情報取得手段と、を備え、前記動作状態情報取得手段は、前記動作状態を示す情報に基づいて前記選択優先順位を定めた後、さらに複数の同一の動作状態の前記映像情報装置があった場合、前記ノード情報に基づいて最終的な選択優先順位を決定することを特徴とする。
【００３３】
また、本発明に係るテレビジョン装置は、前記動作状態情報取得手段は、前記動作状態を示す情報及びノード情報の状態変化を常時監視し、変化があった場合には再度、前記映像情報装置の選択優先順位を決定し、常時更新することを特徴とする。
【００３４】
また、本発明に係るテレビジョン装置は、決定された前記選択優先順位の高い順に前記映像情報装置を示す表示枠を表示する機器選択メニュー操作画面生成手段を備え、前記機器選択メニュー操作画面生成手段は、前記選択優先順位に従って常時、前記表示枠の表示内容を更新するとともに、前記表示枠をカーソルの移動により選択するようにしたことを特徴とする。
【発明の効果】
【００３５】
以上の構成を備える本発明に係るテレビジョン装置によれば、以下のような効果を奏し得る。
【００３６】
本発明に係るテレビジョン装置によれば、ＩＥＥＥ１３９４に接続している全ての１３９４機器の動作状態を示す情報及びノード情報を取得して、これらの情報に基づいて、より正確な機器選択のための優先順位を決定することができ、ユーザにとって１３９４機器の選択を容易にすることが可能である。
【００３７】
また、本発明に係るテレビジョン装置によれば、常時１３９４機器の動作状態やノード情報を監視して、優先順位を初期に決定した順に固定するのでなく動的に更新することで、より正確な１３９４機器の選択を行うことが可能である。
【００３８】
また、本発明に係るテレビジョン装置によれば、決定された前記選択優先順位の高い順に前記映像情報装置を示す表示枠を表示した機器選択メニュー操作画面を設けることによって、ユーザは視覚的に常時更新した機器選択表示枠を選択することができ、選択の操作性を簡略化することが可能である。
【発明を実施するための最良の形態】
【００３９】
以下、本発明に係るテレビジョン装置の実施形態について図を参照して説明する。
【００４０】
図１〜図３は発明を実施する形態の一例であって、図中、同一の符号を付した部分は同一物を表わし、基本的な構成は図４、図５（ａ）に示す従来のものと同様である。
【００４１】
本発明に係るテレビジョン装置１及び他の１３９４機器との通信を行うＩＥＥＥ１３９４の通信システムの基本構成及びその動作は、従来と変わらないため、説明を省く。
【００４２】
テレビジョン装置１は、図１，２には図示していないが、装置全体の制御を統括する制御部と、種々のデータを記憶するメモリと、制御部やメモリ等と内部データバスを介して他の１３９４機器間でデータの送受信を行う１３９４インターフェース部（１３９４機器の動作状況を示す動作状態情報やノード情報を取得する取得手段）と、を備えている。
【００４３】
上述したように、ルートの「ノード」であるテレビジョン装置１は、他の全てのノードである１３９４機器の動作状況を示す動作状態情報やノード情報（ノード番号；テレビジョン装置１から遠い距離に位置するほど大きな番号が付されるものとする）を取得する（動作状態情報取得手段；制御部に含まれる処理手段である）ことができる。
【００４４】
図１（ａ）及び図２（ａ）には、１３９４機器の動作状態情報として、３つの例を示しており、その状態を下記に示す。
【００４５】
（１）電源ＯＦＦ  文字通り電源が入ってない状態である。
【００４６】
（２）電源ＯＮ、停止状態  電源は入っているが何も動作していない状態である。
【００４７】
（３）電源ＯＮ、動作状態  この機器に対して映像データ等を送受信している状態である。
【００４８】
例えば、１３９４機器の選択にあたり、上記のような動作状態情報を取得することにより、下記に示すように１３９４機器の選択優先順位を付けることが可能である。
【００４９】
即ち、電源がＯＦＦ状態（１）にある１３９４機器よりも電源がＯＮ状態にある１３９４機器を使用する可能性が高く、同じ電源がＯＮ状態にある１３９４機器であっても、停止した状態（２）にある１３９４機器よりも動作している状態（３）（再生状態、録画状態、早送り状態、巻き戻し状態、再生状態の一時停止）にある１３９４機器を使用する可能性が高い。
【００５０】
また、テレビジョン装置１から遠い距離に配置（ノード番号が大きい）されている１３９４機器ほど、再度使用される可能性が低いとみなし、優先順位を低くする。
【００５１】
以上のような１３９４機器の動作状態情報とノード情報に基づいて、動作状態情報取得手段は、１３９４機器の動作状態及びテレビジョン装置１からのノード情報の変化に応じて適宜、１３９４機器に優先順位を付ける。
【００５２】
即ち、動作状態（３）にある１３９４機器を最初に選択し、動作状態が同じものが複数ある場合には、テレビジョン装置１から近い順に高い優先順位を付ける。動作状態にある機器に優先順位を付け終わったら、次に、電源ＯＮ状態で停止状態（２）にある機器に優先順位を付ける。最後に、電源ＯＦＦ状態（１）にある１３９４機器に対してテレビジョン装置１から近い順に優先順位を付ける（取り外しの可能性が高いため、優先順位を最低にしている）。
【００５３】
このようにして、優先順位を付け終わった段階で、上記制御部の機器選択メニュー操作画面生成手段により図１（ｂ）、図２（ｂ）に示す機器選択メニュー操作画面１０，２０が生成され、機器選択表示枠１１ａ〜１１ｅ及び機器選択表示枠２１ａ〜２１ｆに前述した優先順位に１３９４機器が表示される。
【００５４】
最後に、１３９４機器の動作状態の変化に応じて機器選択メニュー操作画面を更新する動作フローについて図３を用いて説明する。
【００５５】
図３は、１３９４機器の動作状態に応じて優先順位を更新する動作フローを示す図である。
【００５６】
ＩＥＥＥ１３９４通信システム動作によって機器の接続構成の初期化及び構成の再認識化が行われた後（ステップＳ１００）、動作状態情報取得手段は、ノード情報及び機器の動作状態情報を各１３９４機器から読み込み、現時点での選択優先順位を決定し、機器選択メニュー操作画面生成手段により、現時点での機器選択メニュー操作画面を生成する（ステップＳ１０１）。
【００５７】
ステップＳ１０２において、機器の動作状態が変化したかを所定の時間間隔で判定し（ステップＳ１０２）、以下の４つの状態（ＯＮ／ＯＦＦ状態、再生状態、録画状態、停止状態）に変化した１３９４機器があるか否かを判定し（ステップＳ１０３、１０４、１０５、１０６）、変化したと判定した場合（ステップＳ１０３；Ｙｅｓ、ステップＳ１０４；Ｙｅｓ、ステップＳ１０５；Ｙｅｓ、ステップＳ１０６；Ｙｅｓ）には、１３９４機器の選択優先順位を再設定し、機器選択メニュー操作画面を更新する（ステップＳ１０７）。
【００５８】
また、状態の変化がない場合には、再度ステップＳ１０２に処理を戻す。
【００５９】
これにより、ユーザは、最新の状態で、機器を選択することが可能である。
【００６０】
以上説明したように、ノード情報と機器の動作状態情報の２つの情報により、機器選択のための最適な優先順位を決定するとともに、状態が変化した場合にも優先順位を再設定し、操作画面を更新して、１３９４機器の選択の操作性の簡略化を図ることができる。
【００６１】
尚、本発明のテレビジョン装置は、上記した実施形態に限定されるものではなく、本発明の要旨を逸脱しない範囲内において種々変更を加え得ることは勿論である。
【図面の簡単な説明】
【００６２】
【図１】（ａ）は、テレビジョン装置と他のＩＥＥＥ１３９４搭載機器とをデイジーチェーンで接続したＩＥＥＥ１３９４ネットワーク構成例を示す図であり、（ｂ）は、このＩＥＥＥ１３９４に接続された機器の選択を示す操作画面の一例を示す図である。
【図２】（ａ）は、テレビジョン装置を始点とする２系統のデイジーチェーン方式のＩＥＥＥ１３９４ネットワークをツリー状構成とした場合の構成図であり、（ｂ）は、このＩＥＥＥ１３９４に接続された機器の選択を示す操作画面の一例を示す図である。
【図３】１３９４機器の動作状態に応じて優先順位を更新する動作フローを示す図である。
【図４】テレビジョン装置と他のＩＥＥＥ１３９４搭載機器とをデイジーチェーンで接続したＩＥＥＥ１３９４ネットワーク構成例を示す図である。
【図５】（ａ）は、テレビジョン装置を始点とする２系統のデイジーチェーン方式のＩＥＥＥ１３９４ネットワークをツリー状構成とした場合の構成図であり、（ｂ）は、このＩＥＥＥ１３９４に接続された機器の選択を示す操作画面の一例を示す図である。
【符号の説明】
【００６３】
１、４０  テレビジョン装置
２  １３９４インターフェース部
３、３ａ、３ｂ  通信ポート
１０、２０、５６  機器選択メニュー操作画面
１１ａ〜１１ｅ  機器選択表示枠
２１ａ〜２１ｆ  機器選択表示枠
４１〜４５  １３９４機器
５０〜５５  １３９４機器
５７ａ〜５７ｆ  選択優先順位表示枠
５８ａ〜５８ｆ  機器選択表示枠
【図１】
2008022427.tif 000003
【図２】
2008022427.tif 000004
【図３】
2008022427.tif 000005
【図４】
2008022427.tif 000006
【図５】
2008022427.tif 000007